【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
タイミング信号を複数の回路に提供する方法であって、
−相互接続された複数のノードを提供することを含み、各回路は１つのノードに接続されており、各ノードは、タイミング信号を少なくとも１つの他のノードから受信しており、かつ対応するタイミング信号を、少なくとも１つの他のノード及び／又は当該ノードに接続された回路に送信しており、  上記方法は、
−タイミング信号を上記複数のノードのうちの１つのノードに提供することを含み、
−少なくとも１つのノードが、タイミング信号を２つ以上のノードのそれぞれから受信しており、上記２つ以上のノードのそれぞれからタイミング信号が受信される前には、対応するタイミング信号を、上記少なくとも１つの他のノード及び／又は当該ノードに接続された回路に送信せず、
上記方法は、
−上記複数のノードを、少なくとも２つの非平行の方向によって定義される複数の次元において、送信ノードからタイミング信号を受信するように適合化されたノードがさらに上記送信ノード以外の方向のうちの少なくとも１つの方向に位置決めされ、タイミングのスキューが上記方向に沿って存在するように、トポロジー的に位置決めすることを含む方法。
【請求項２】
複数のノードは、タイミング信号を２つ以上のノードから受信し、かつ上記２つ以上のノードのそれぞれからタイミング信号が受信される前には、上記対応するタイミング信号を上記少なくとも１つの他のノードに送信しない請求項１記載の方法。
【請求項３】
上記複数のノードのうちの少なくとも１つのノードは、第１のタイミング信号を少なくとも１つの他のノードから受信するとき、肯定応答信号を上記少なくとも１つの他のノードのそれぞれに送信する請求項１又は２記載の方法。
【請求項４】
上記少なくとも１つのノードはさらに、上記第１のタイミング信号に対応するタイミング信号が送信されたノードのそれぞれから肯定応答信号を受信する前には、他のノードから受信される後続のタイミング信号を送信しない請求項３記載の方法。
【請求項５】
上記少なくとも１つのノードは、当該ノードにタイミング信号を送信する全てのノードからタイミング信号を受信する前には、肯定応答信号を送信しない請求項３又は４記載の方法。
【請求項６】
上記複数のノードのうちの少なくとも１つのノードは、２つ以上の異なる値の時系列であるタイミング信号を受信し、高い方の値及び低い方の値が同じタイミングシーケンスにおいて交換されるように反転された受信された信号を、上記対応するタイミング信号として他のノードに送信する請求項１乃至５のうちのいずれか１つに記載の方法。
【請求項７】
上記回路のうちの２つの回路がデータを交換するステップをさらに含み、上記データの交換は、上記回路によって２つのノードのそれぞれから受信されるタイミング信号によって制御されている請求項１乃至６のうちのいずれか１つに記載の方法。
【請求項８】
上記データの交換方法は、上記受信されたタイミング信号における、上記２つ以上の値のうちの低い方の値から上記値のうちの高い方の値への変化又は上記高い方の値から上記低い方の値への変化に関連して、各回路がデータを送信又は受信することを含む請求項６又は７記載の方法。
【請求項９】
上記２つの回路は、２つのノードに接続され、同じ変化に関連してデータを送信又は受信するように適合化され、
（ａ）上記２つのノードは隣接する２つのノードであり、若しくは、
（ｂ）上記２つのノードの間に上記少なくとも１つのノードのうちの偶数個のノードが存在する請求項８記載の方法。
【請求項１０】
上記位置決めするステップは、上記複数のノードを、所定の領域に渡って物理的に位置決めすることを含む請求項１乃至９のうちのいずれか１つに記載の方法。
【請求項１１】
上記複数のノードは、少なくとも実質的には、第１の方向に沿って少なくとも実質的に等間隔に位置決めされた複数の線のうちの１本の線と、上記第１の方向に対して非平行である第２の方向に沿って少なくとも実質的に等間隔に位置決めされた複数の線のうちの１本の線との交点に対応する複数の位置に提供された請求項１乃至１０のうちのいずれか１つに記載の方法。
【請求項１２】
１）複数の回路を提供するステップと、
２）クロックを発生又は受信するノードを提供するステップと、
３）複数の中継ノードを提供するステップとを含む集積回路を作成する方法であって、
各回路は１つのノードに接続されており、各中継ノードは少なくとも１つのノードから信号を受信しかつ少なくとも１つの他の中継ノード及び／又は当該中継ノードに接続された回路に信号を送信するように適合化されており、上記方法は、
４）上記受信／発生ノードからの信号によって全ての中継ノード及び全ての回路に信号が送信されるように、上記複数のノードを相互接続するステップを含み、
−ステップ３）は、上記複数の中継ノードの少なくとも１つの中継ノードを、少なくとも２つの中継ノードから信号を受信しかつ上記少なくとも２つの中継ノードのそれぞれから信号が受信されるまで、他の任意の中継ノード及び／又は当該中継ノードに接続された回路に信号を転送しないように適合化されたノードとして提供することを含み、
−ステップ３）は、上記複数のノードを、２つの非平行の方向によって定義される複数の次元において、送信ノードからタイミング信号を受信するように適合化されたノードがさらに上記送信ノード以外の方向のうちの少なくとも１つの方向に位置決めされかつタイミングのスキューが上記方向に沿って存在するように、トポロジー的に位置決めすることを含み、
−ステップ４）は、上記少なくとも１つの中継ノードを、上記少なくとも２つの中継ノードから信号を受信するように相互接続することを含む方法。
【請求項１３】
ステップ３）は、タイミング信号を２つ以上のノードから受信し、かつ上記２つ以上のノードのそれぞれからタイミング信号が受信される前には、対応するタイミング信号を上記少なくとも１つの他のノードに送信しないように適合化された複数のノードを提供することを含む請求項１２記載の方法。
【請求項１４】
ステップ３）は、第１のタイミング信号を少なくとも１つの他のノードから受信するとき、肯定応答信号を上記少なくとも１つの他のノードのそれぞれに送信するように適合化された少なくとも１つのノードを提供することを含む請求項１２又は１３記載の方法。
【請求項１５】
上記少なくとも１つのノードはさらに、上記第１のタイミング信号に対応するタイミング信号が送信されたノードのそれぞれから肯定応答信号を受信する前には、他のノードから受信される後続のタイミング信号を送信しないように適合化された請求項１４記載の方法。
【請求項１６】
ステップ３）は、少なくとも１つのノードを提供することを含み、上記少なくとも１つのノードは、当該ノードにタイミング信号を送信する全てのノードからタイミング信号を受信する前には、肯定応答信号を送信しないように適合化された請求項１４又は１５記載の方法。
【請求項１７】
ステップ３）は、上記複数のノードのうちの少なくとも１つのノードを提供することを含み、当該少なくとも１つのノードは、２つ以上の異なる値の時系列であるタイミング信号を受信し、高い方の値及び低い方の値が同じタイミングシーケンスにおいて交換されるように反転された受信された信号を、上記対応するタイミング信号として他のノードに送信する請求項１２乃至１６のうちのいずれか１つに記載の方法。
【請求項１８】
上記方法はさらに、上記回路のうちの２つの回路であってデータを交換するための手段を備えた回路を提供することを含み、上記交換するための手段は、上記回路によって上記２つのノードのそれぞれから受信されるタイミング信号によって制御可能である請求項１２乃至１７のうちのいずれか１つに記載の方法。
【請求項１９】
上記交換手段はそれぞれ、上記受信されたタイミング信号における、上記２つ以上の値のうちの低い方の値から上記値のうちの高い方の値への変化又は上記高い方の値から上記低い方の値への変化に関連して、データを送信又は受信するように適合化されている請求項１７又は１８記載の方法。
【請求項２０】
上記２つの回路は、２つのノードに接続され、同じ変化に関連してデータを送信又は受信するように適合化され、
（ａ）上記２つのノードは隣接する２つのノードであり、若しくは、
（ｂ）上記２つのノードの間に上記少なくとも１つのノードのうちの偶数個のノードが存在する請求項１９記載の方法。
【請求項２１】
ステップ３）は、上記複数のノードを、上記ノードが、さらに上記送信ノード以外の方向のうちの少なくとも１つの方向に位置決めされるように、上記次元において物理的に位置決めすることを含む請求項１２乃至１７のうちのいずれか１つに記載の方法。
【請求項２２】
ステップ１）は、隣接する複数の回路間に少なくとも所定の距離が存在するように上記回路を表面上に提供することを含み、ステップ４）は、上記複数のノードを、上記回路間に主に位置決めされる電気的接続によって相互接続することを含む請求項１２乃至２１のうちのいずれか１つに記載の方法。
【請求項２３】
ステップ３）は、上記複数のノードを、少なくとも実質的に、第１の方向に沿って少なくとも実質的に等間隔に位置決めされた複数の線のうちの１本の線と、上記第１の方向に対して非平行である第２の方向に沿って少なくとも実質的に等間隔に位置決めされた複数の線のうちの１本の線との交点に対応する複数の位置に位置決めすることを含む請求項１２乃至２２のうちのいずれか１つに記載の方法。
【請求項２４】
タイミング信号を複数の回路に提供するための装置であって、
−相互接続された複数のノードを備え、各回路は１つのノードに接続されており、各ノードは、タイミング信号を少なくとも１つの他のノードから受信し、かつ対応するタイミング信号を、少なくとも１つの他のノード及び／又は当該ノードに接続された回路に送信するように適合化されており、
上記複数のノードは、少なくとも２つの非平行の方向によって定義される複数の次元においてトポロジー的に位置決めされており、送信ノードからタイミング信号を受信するように適合化されたノードは、タイミングのスキューが上記方向に沿って存在するように、さらに上記送信ノード以外の方向のうちの少なくとも１つの方向に位置決めされおり、
上記装置は、
−タイミング信号を上記複数のノードのうちの１つのノードに提供するための回路と、
−少なくとも１つのノードとを備え、上記少なくとも１つのノードは、タイミング信号を２つ以上のノードのそれぞれから受信し、上記２つ以上のノードのそれぞれからタイミング信号が受信される前には、対応するタイミング信号を、上記少なくとも１つの他のノード及び／又は当該ノードに接続された回路に送信しないように適合化されている装置。
【請求項２５】
上記複数のノードはそれぞれ、タイミング信号を２つ以上のノードから受信し、かつ上記２つ以上のノードのそれぞれからタイミング信号が受信される前には、上記対応するタイミング信号を上記少なくとも１つの他のノード及び／又は回路に送信しないように適合化された請求項２４記載の装置。
【請求項２６】
上記複数のノードのうちの少なくとも１つのノードは、第１のタイミング信号を少なくとも１つの他のノードから受信するとき、肯定応答信号を上記少なくとも１つの他のノードのそれぞれに送信するように適合化された請求項２４又は２５記載の装置。
【請求項２７】
上記少なくとも１つのノードはさらに、上記第１のタイミング信号に対応するタイミング信号が送信されたノードのそれぞれから肯定応答信号を受信する前には、他のノードから受信される後続のタイミング信号を送信しないように適合化された請求項２６記載の装置。
【請求項２８】
上記少なくとも１つのノードは、当該ノードにタイミング信号を送信する全てのノードからタイミング信号を受信する前には、肯定応答信号を送信しないように適合化された請求項２６又は２７記載の装置。
【請求項２９】
上記複数のノードのうちの少なくとも１つのノードは、２つ以上の異なる値の時系列であるタイミング信号を受信し、高い方の値及び低い方の値が同じタイミングシーケンスにおいて交換されるように反転された受信された信号を、上記対応するタイミング信号として他のノードに送信するように適合化された請求項２４乃至２８のうちのいずれか１つに記載の装置。
【請求項３０】
上記回路のうちの２つの回路はデータを交換するための手段を備え、上記交換手段は、上記回路によって２つのノードのそれぞれから受信されるタイミング信号によって制御可能である請求項２４乃至２９のうちのいずれか１つに記載の装置。
【請求項３１】
上記交換手段はそれぞれ、受信されたタイミング信号における、上記２つ以上の値のうちの低い方の値から上記値のうちの高い方の値への変化又は上記高い方の値から上記低い方の値への変化に関連して、データを送信又は受信するように適合化された請求項２９又は３０記載の装置。
【請求項３２】
上記２つの回路は、２つのノードに接続され、同じ変化に関連してデータを送信又は受信するように適合化され、
（ａ）上記２つのノードは隣接する２つのノードであり、若しくは、
（ｂ）上記２つのノードの間に上記少なくとも１つのノードのうちの偶数個のノードが存在する請求項３１記載の装置。
【請求項３３】
上記複数のノードは、少なくとも２つの非平行の方向によって定義される所定の領域に渡って物理的に位置決めされており、送信ノードからタイミング信号を受信するように適合化されたノードは、さらに上記送信ノード以外の方向のうちの少なくとも１つの方向に位置決めされた請求項２４乃至２９のうちのいずれか１つに記載の装置。
【請求項３４】
上記複数のノードは、少なくとも実質的には、第１の方向に沿って少なくとも実質的に等間隔に位置決めされた複数の線のうちの１本の線と、上記第１の方向に対して非平行である第２の方向に沿って少なくとも実質的に等間隔に位置決めされた複数の線のうちの１本の線との交点に対応する複数の位置に提供される請求項２４乃至３３のうちのいずれか１つに記載の装置。
【請求項３５】
１）複数の回路と、
２）クロックを発生又は受信するノードと、
３）複数の中継ノードとを備えた集積回路であって、
各回路は１つのノードに接続されており、各中継ノードは少なくとも１つのノードから信号を受信しかつ少なくとも１つの他の中継ノード及び／又は当該中継ノードに接続された回路に信号を送信するように適合化されており、
上記複数のノードは、２つの非平行の方向によって定義される複数の次元において、送信ノードからタイミング信号を受信するように適合化されたノードがさらに上記送信ノード以外の方向のうちの少なくとも１つの方向に位置決めされ、タイミングのスキューが上記方向に沿って存在するように、トポロジー的に位置決めされており、
上記集積回路は、
４）上記受信／発生ノードからの信号によって全ての中継ノード及び全ての回路に信号が送信されるように、上記複数のノードを相互接続する複数の相互接続エレメントを備え、
上記集積回路において、
上記複数の中継ノードのうちの少なくとも１つの中継ノードは、少なくとも２つの中継ノードと相互接続されており、上記少なくとも２つの中継ノードのそれぞれから信号が受信されるまで、他の任意の中継ノード及び／又は当該中継ノードに接続された回路に信号を転送しないように適合化された集積回路。
【請求項３６】
ステップ３）は、タイミング信号を２つ以上のノードから受信し、かつ上記２つ以上のノードのそれぞれからタイミング信号が受信される前には、対応するタイミング信号を上記少なくとも１つの他のノードに送信しないように適合化された複数のノードを提供することを含む請求項３５記載の回路。
【請求項３７】
ステップ３）は、第１のタイミング信号を少なくとも１つの他のノードから受信するとき、肯定応答信号を上記少なくとも１つの他のノードのそれぞれに送信するように適合化された少なくとも１つのノードを提供することを含む請求項３５又は３６記載の回路。
【請求項３８】
上記少なくとも１つのノードはさらに、上記第１のタイミング信号に対応するタイミング信号が送信されたノードのそれぞれから肯定応答信号を受信する前には、他のノードから受信される後続のタイミング信号を送信しないように適合化された請求項３７記載の回路。
【請求項３９】
上記少なくとも１つのノードは、当該ノードにタイミング信号を送信する全てのノードからタイミング信号を受信する前には、肯定応答信号を送信しないように適合化された請求項３７又は３８記載の装置。
【請求項４０】
上記ノードのうちの少なくとも１つは、２つ以上の異なる値の時系列であるタイミング信号を受信し、高い方の値及び低い方の値が同じタイミングシーケンスにおいて交換されるように反転された受信された信号を、上記対応するタイミング信号として他のノードに送信するように適合化された請求項３５乃至３９のうちのいずれか１つに記載の回路。
【請求項４１】
上記回路のうちの２つの回路は、データを交換するための手段を備え、上記交換手段は、上記回路によって上記２つのノードのそれぞれから受信されるタイミング信号によって制御可能である請求項３５乃至４０のうちのいずれか１つに記載の回路。
【請求項４２】
上記交換手段はそれぞれ、受信されたタイミング信号における、上記２つ以上の値のうちの低い方の値から上記値のうちの高い方の値への変化又は上記高い方の値から上記低い方の値への変化に関連して、データを送信又は受信するように適合化された請求項４０又は４１記載の回路。
【請求項４３】
上記２つの回路は、２つのノードに接続され、同じ変化に関連してデータを送信又は受信するように適合化され、
（ａ）上記２つのノードは隣接する２つのノードであり、若しくは、
（ｂ）上記２つのノードの間に上記少なくとも１つのノードのうちの偶数個のノードが存在する請求項４２記載の回路。
【請求項４４】
上記複数のノードは、送信ノードからタイミング信号を受信するように適合化されたノードが、さらに上記送信ノード以外の方向のうちの少なくとも１つの方向に位置決めされるように、所定の領域に渡って物理的に位置決めされた請求項３５乃至４３のうちのいずれか１つに記載の回路。
【請求項４５】
上記回路は、隣接する複数の回路間に少なくとも所定の距離が存在するように表面上に位置決めされ、上記相互接続手段は主に上記回路間に位置決めされた請求項３５乃至４４のうちのいずれか１つに記載の回路。
【請求項４６】
上記複数のノードは、少なくとも実質的には、第１の方向に沿って少なくとも実質的に等間隔に位置決めされた複数の線のうちの１本の線と、上記第１の方向に対して非平行である第２の方向に沿って少なくとも実質的に等間隔に位置決めされた複数の線のうちの１本の線との交点に対応する複数の位置に位置決めされる請求項３５乃至４５のうちのいずれか１つに記載の回路。
【手続補正２】
【補正対象書類名】明細書
【補正対象項目名】００３４
【補正方法】変更
【補正の内容】
【００３４】
追加の優位点は、複数のノードを介する、よって複数の回路を介するタイミング信号の流れにある。これらの回路は、トポロジー的（地理的又は数学的）に、二次元、三次元又はそれ以上の次元等の複数の次元で接続又は提供される。このようなトポロジーは、例えば並列コンピュータに見ることができる。このトポロジーは、現在のノードのネットワークによって、少なくとも２つの非平行の方向によって定義される所定の実際の又は仮想の領域に渡って（正しいトポロジーをもたらすようにノードを相互接続して）物理的／地理的又は数学的に、これらのノードを位置決めすることによって実現される。本方法は、送信ノードからタイミング信号を受信するように適合化されたノードを、さらに上記送信ノード以外の方向のうちの少なくとも１つの方向に位置決めすることを含む。このようにして、タイミングのスキューは、正常に動作するタイミング信号の方向及び伝搬に沿って存在する。
【手続補正３】
【補正対象書類名】明細書
【補正対象項目名】００４６
【補正方法】変更
【補正の内容】
【００４６】
また、本トポロジーは、ステップ３）がさらに、上記複数のノードを、送信ノードからタイミング信号を受信するように適合化されたノードが、さらに上記送信ノード以外の方向のうちの少なくとも１つの方向に位置決めされるように、上記２つの非平行の方向によって定義される次元において及び所定の領域に渡って地理的に又は物理的に位置決めすることを含むときに制御されてもよい。
【手続補正４】
【補正対象書類名】明細書
【補正対象項目名】００６０
【補正方法】削除
【補正の内容】
【手続補正５】
【補正対象書類名】明細書
【補正対象項目名】００７２
【補正方法】削除
【補正の内容】